(57)【要約】      （修正有）【課題】アクセス先のコンテンツデータの信頼性を向上させる。【解決手段】情報処理装置３が、コンテンツデータを、コンテンツデータの格納場所を示す格納場所情報の送信の許可又は不許可を決定するサーバに送信し、サーバから格納場所情報を受信し、格納場所情報を他の情報処理装置３に送信する。情報処理装置が、コンテンツデータを格納場所情報の送信の許可又は不許可を決定するサーバに送信することで、格納場所情報の送信の許可又は不許可についてのサーバの判断を受けることができ、アクセス先のコンテンツデータの信頼性を向上することができる。【選択図】図５Ａ
2013149081.tif 000002
【特許請求の範囲】
【請求項１】
情報処理装置のコンピュータにおいて実行される情報処理プログラムであって、
コンテンツデータを、当該コンテンツデータの格納場所を示す格納場所情報の送信の許可又は不許可を決定するサーバに送信する第１の送信手段と、
前記サーバから前記格納場所情報を受信する受信手段と、
前記格納場所情報を他の情報処理装置に送信する第２の送信手段として前記コンピュータを機能させる、情報処理プログラム。
【請求項２】
前記情報処理プログラムは、
前記格納場所情報の送信の許可を、前記サーバに要求する要求手段として前記コンピュータを更に機能させる、請求項１に記載の情報処理プログラム。
【請求項３】
前記サーバは、前記情報処理装置から前記コンテンツデータを受信した場合、前記格納場所情報の送信の許可又は不許可の決定を行う、請求項１に記載の情報処理プログラム。
【請求項４】
前記受信手段は、前記サーバが前記格納場所情報の送信の許可を決定した後、前記サーバが送信する前記格納場所情報を受信する、
又は、
前記他の情報処理装置が、前記サーバにアクセスし、前記格納場所情報の送信の許可が決定されていることを確認した場合、前記格納場所情報が、前記他の情報処理装置が有する表示部に表示される、請求項１から３の何れか一項に記載の情報処理プログラム。
【請求項５】
前記受信手段は、前記サーバが前記格納場所情報の送信の許可を決定した後、前記サーバが送信する前記格納場所情報を受信する、請求項１から３の何れか一項に記載の情報処理プログラム。
【請求項６】
前記他の情報処理装置は、前記サーバにアクセスし、前記格納場所情報の送信の許可が決定されていることを確認した場合、前記格納場所情報が、前記他の情報処理装置が有する表示部に表示される、請求項１から３の何れか一項に記載の情報処理プログラム。
【請求項７】
前記第２の送信手段は、前記サーバが前記格納場所情報の送信の許可を決定した後、前記格納場所情報を前記他の情報処理装置に送信する、請求項１から３の何れか一項に記載の情報処理プログラム。
【請求項８】
前記コンテンツデータが所定基準を満たしている場合、前記サーバによって前記格納場所情報の送信の許可が決定される、請求項１から７の何れか一項に記載の情報処理プログラム。
【請求項９】
前記情報処理プログラムは、
前記他の情報処理装置を検知する検知手段として前記コンピュータを更に機能させ、
前記第２の送信手段は、前記検知手段によって検知された前記他の情報処理装置に前記格納場所情報を送信する、請求項１から８の何れか一項に記載の情報処理プログラム。
【請求項１０】
前記検知手段は、
ビーコンを送信するビーコン送信手段と、
前記送出したビーコンに対する応答を前記他の情報処理装置から受信する応答受信手段とを含み、
前記第２の送信手段は、前記応答受信手段によって受信された前記応答を送信した前記他の情報処理装置に前記格納場所情報を送信する、請求項９に記載の情報処理プログラム
。
【請求項１１】
前記第２の送信手段は、所定時点から所定時間が経過した後、前記格納場所情報を前記他の情報処理装置に送信する、請求項１から３の何れか一項に記載の情報処理プログラム。
【請求項１２】
前記他の情報処理装置が受信した前記格納場所情報は、所定時点から所定時間が経過した後、前記他の情報処理装置が有する表示部に表示される、請求項１から３の何れか一項に記載の情報処理プログラム。
【請求項１３】
前記所定時点は、前記第１の送信手段、前記要求手段、前記受信手段の何れか一つが実行された時点である、請求項１１又は１２に記載の情報処理プログラム。
【請求項１４】
前記第２の送信手段の実行回数が制限されている、請求項１から１３の何れか一項に記載の情報処理プログラム。
【請求項１５】
前記コンテンツデータはＵＧＣ（User Generated Contents）データである、請求項１
から１４の何れか一項に記載の情報処理プログラム。
【請求項１６】
前記格納場所情報はＵＲＬ（Uniform Resource Locator）である、請求項１から１５の何れか一項に記載の情報処理プログラム。
【請求項１７】
コンテンツデータを、当該コンテンツデータの格納場所を示す格納場所情報の送信の許可又は不許可を決定するサーバに送信する第１の送信手段と、
前記サーバから前記格納場所情報を受信する受信手段と、
前記格納場所情報を他の情報処理装置に送信する第２の送信手段と、
を備える情報処理装置。
【請求項１８】
コンテンツデータの格納場所を示す格納場所情報の送信の許可又は不許可を決定するサーバと、第１の情報処理装置と、第２の情報処理装置と、を備える情報処理システムであって、
前記第１の情報処理装置は、
前記コンテンツデータを前記サーバに送信する第１の送信手段と、
前記サーバから前記格納場所情報を受信する受信手段と、
前記格納場所情報を前記第２の情報処理装置に送信する第２の送信手段と、を有する、
情報処理システム。
【請求項１９】
情報処理装置のコンピュータによって実行される情報処理方法であって、
コンテンツデータを、当該コンテンツデータの格納場所を示す格納場所情報の送信の許可又は不許可を決定するサーバに送信する第１の送信ステップと、
前記サーバから前記格納場所情報を受信する受信ステップと、
前記格納場所情報を他の情報処理装置に送信する第２の送信ステップと、
を備える、情報処理方法。
【発明の詳細な説明】
【技術分野】
【０００１】
本発明は、情報処理プログラム、情報処理装置、情報処理システムおよび情報処理方法に関する。
【背景技術】
【０００２】
ネットワーク上のサーバに投稿されたコンテンツデータを、不特定多数の利用者で共有するサービスがあり、サーバに投稿されたコンテンツデータの閲覧者からの通報を受けて、サーバの運営者が、コンテンツデータが不適切であるか否かをチェックしている。投稿された画像データが不適切なデータであるかを確認する技術がある（例えば、特許文献１参照）。
【先行技術文献】
【特許文献】
【０００３】
【特許文献１】特開２００６−２９３４５５号公報
【発明の概要】
【発明が解決しようとする課題】
【０００４】
コンテンツデータの閲覧者からの通報の有無に関わらず、アクセス先のコンテンツデータの信頼性を向上させることが好ましい。本発明は、アクセス先のコンテンツデータの信頼性を向上させることを目的とする。
【課題を解決するための手段】
【０００５】
本発明の態様の一つは、情報処理プログラムである。この情報処理プログラムは、情報処理装置のコンピュータにおいて実行される情報処理プログラムであって、コンテンツデータを、コンテンツデータの格納場所を示す格納場所情報の送信の許可又は不許可を決定するサーバに送信する第１の送信手段と、サーバから格納場所情報を受信する受信手段と、格納場所情報を他の情報処理装置に送信する第２の送信手段として、コンピュータを機能させる。
【０００６】
コンテンツデータの格納場所を示す格納場所情報の送信の許可は、格納場所情報を送信先に送信してもよいかの許可である。情報処理装置が、コンテンツデータを格納場所情報の送信の許可又は不許可を決定するサーバに送信することで、格納場所情報の送信の許可又は不許可についてのサーバの判断を受けることができ、アクセス先のコンテンツデータの信頼性を向上することができる。
【０００７】
本発明の態様の一つである情報処理プログラムは、格納場所情報の送信の許可を、サーバに要求する要求手段として、情報処理装置のコンピュータを更に機能させる。これにより、情報処理装置が、格納場所情報の送信の許可を、サーバに要求することを契機として、サーバによる格納場所情報の送信の許可又は不許可についての判断が行われるようになる。
【０００８】
本発明の態様の一つである情報処理プログラムによれば、サーバは、情報処理装置からコンテンツデータを受信した場合、格納場所情報の送信の許可又は不許可の決定を行う。これにより、サーバが、情報処理装置からコンテンツデータを受信することを契機として、サーバによる格納場所情報の送信の許可又は不許可についての判断が行われるようになる。
【０００９】
本発明の態様の一つである情報処理プログラムによれば、受信手段は、サーバが格納場所情報の送信の許可を決定した後、サーバが送信する格納場所情報を受信する。サーバによる格納場所情報の送信の許可の決定が行われた後、情報処理装置は格納場所情報をサーバから受信し、情報処理装置は格納場所情報を他の情報処理装置に送信する。サーバによる格納場所情報の送信の許可の決定が行われた後、他の情報処理装置は、コンテンツデータにアクセスすることになる。すなわち、他の情報処理装置が、コンテンツデータにアクセスすることが可能な状態になる前に、サーバによる格納場所情報の送信の許可の決定が行われており、アクセス先のコンテンツデータの信頼性を更に向上することができる。
【００１０】
本発明の態様の一つである情報処理プログラムによれば、他の情報処理装置が、サーバにアクセスし、格納場所情報の送信の許可が決定されていることを確認した場合、格納場所情報が、他の情報処理装置が有する表示部に表示される。他の情報処理装置のユーザが、表示部に表示されている格納場所情報を認識し、他の情報処理装置によってコンテンツデータに対してアクセスが行われた時点では、サーバによる格納場所情報の送信の許可の決定が行われている。したがって、サーバによる格納場所情報の許可の決定が行われる前に、コンテンツデータに対してアクセスが行われることを抑止できる。
【００１１】
本発明の態様の一つである情報処理プログラムによれば、第２の送信手段は、サーバが格納場所情報の送信の許可を決定した後、格納場所情報を他の情報処理装置に送信する。サーバによる格納場所情報の送信の許可の決定が行われた後、情報処理装置は格納場所情報を他の情報処理装置に送信する。サーバによる格納場所情報の送信の許可の決定が行われた後、他の情報処理装置は、コンテンツデータにアクセスすることになる。すなわち、他の情報処理装置が、コンテンツデータにアクセスすることが可能な状態になる前に、サーバによる格納場所情報の送信の許可の決定が行われており、アクセス先のコンテンツデータの信頼性を更に向上することができる。
【００１２】
本発明の態様の一つである情報処理プログラムによれば、コンテンツデータが所定基準を満たしている場合、サーバによって格納場所情報の送信の許可が決定される。サーバから情報処理装置に対して、所定基準を満たしたコンテンツデータの格納場所情報が送信され、情報処理装置から他の情報処理装置に対して、所定基準を満たしたコンテンツデータの格納場所情報が送信されることにより、アクセス先のコンテンツデータの信頼性を更に向上することができる。
【００１３】
本発明の態様の一つである情報処理プログラムは、他の情報処理装置を検知する検知手段として、情報処理装置のコンピュータを更に機能させ、第２の送信手段は、検知手段によって検知された他の情報処理装置に格納場所情報を送信する。これにより、情報処理装置のユーザが他の情報処理装置の存在を認識していなくとも、情報処理装置は、検知手段によって検知された他の情報処理装置に格納場所情報を送信することができる。
【００１４】
本発明の態様の一つである情報処理プログラムによれば、検知手段は、ビーコンを送信するビーコン送信手段と、送出したビーコンに対する応答を他の情報処理装置から受信する応答受信手段とを含み、第２の送信手段は、応答受信手段によって受信された応答を送信した他の情報処理装置に格納場所情報を送信する。これにより、情報処理装置のユーザが他の情報処理装置の存在を認識していなくとも、情報処理装置は、応答受信手段によって受信された応答を送信した他の情報処理装置に格納場所情報を送信することができる。
【００１５】
本発明の態様の一つである情報処理プログラムによれば、第２の送信手段は、所定時点から所定時間が経過した後、格納場所情報を他の情報処理装置に送信する。所定時点から所定時間が経過する前に、格納場所情報が他の情報処理装置に送信された場合、サーバに
よる格納場所情報の送信の許可の決定が行われる前に、他の情報処理装置は、コンテンツデータにアクセスすることが可能となる。所定時点から所定時間が経過した後、格納場所情報が他の情報処理装置に送信されることにより、サーバによる格納場所情報の許可の決定が行われる前に、コンテンツデータに対してアクセスが行われることを抑制できる。
【００１６】
本発明の態様の一つである情報処理プログラムによれば、他の情報処理装置が受信した格納場所情報は、所定時点から所定時間が経過した後、他の情報処理装置が有する表示部に表示される。これにより、他の情報処理装置のユーザは、所定時点から所定時間が経過した後、格納場所情報を認識する。したがって、サーバによる格納場所情報の許可の決定が行われる前に、コンテンツデータに対してアクセスが行われることを抑制できる。所定時点は、第１の送信手段、要求手段、受信手段の何れか一つが実行された時点であってもよい。
【００１７】
本発明の態様の一つである情報処理プログラムによれば、第２の送信手段の実行回数を制限してもよい。第２の送信手段の実行回数を制限することにより、格納場所情報が無制限に他の情報処理装置に送信されることを抑制することができる。
【００１８】
本発明の態様の一つである情報処理プログラムによれば、コンテンツデータは、ＵＧＣ（User Generated Contents）データであってもよい。本発明の態様の一つである情報処
理プログラムによれば、格納場所情報は、ＵＲＬ（Uniform Resource Locator）であってもよい。更に、本発明は、情報処理装置、該情報処理装置を含む情報処理システム、またはコンピュータによって実行される方法としても把握することが可能である。また、本発明は、上記説明したプログラムをコンピュータその他の装置、機械等が読み取り可能な記録媒体に記録したものでもよい。
【発明の効果】
【００１９】
本発明によれば、アクセス先のコンテンツデータの信頼性を向上することができる。
【図面の簡単な説明】
【００２０】
【図１】図１は、実施形態の情報処理システムの構成例を示す図である。
【図２】図２は、サーバのハードウェア構成の一例を示す図である。
【図３】図３は、サーバの機能ブロックの一例を示す図である。
【図４】図４は、情報処理装置のハードウェア構成の一例を示す図である。
【図５Ａ】図５Ａは、情報処理装置の機能ブロックの一例を示す図である。
【図５Ｂ】図５Ｂは、情報処理装置の機能ブロックの一例を示す図である。
【図６Ａ】図６Ａは、実施形態のシステムの実施例１を示すシーケンス図である。
【図６Ｂ】図６Ｂは、実施形態のシステムの実施例２を示すシーケンス図である。
【図７Ａ】図７Ａは、実施形態のシステムの実施例３を示すシーケンス図である。
【図７Ｂ】図７Ｂは、実施形態のシステムの実施例４を示すシーケンス図である。
【発明を実施するための形態】
【００２１】
以下、図面に基づいて、実施形態を説明する。以下の実施形態の構成は例示であり、本発明は実施形態の構成に限定されない。
【００２２】
〈システム構成〉
図１は、実施形態の情報処理システムの構成例を示す図である。図１の情報処理システムは、サーバ１と、ネットワーク２を介してサーバ１にアクセスを行う情報処理装置３Ａ、３Ｂ、３Ｃとを有する。サーバ１、情報処理装置３Ａ、３Ｂ、３Ｃは、ネットワーク２を介して相互に通信が可能である。情報処理装置３Ａ、３Ｂ、３Ｃを総称する場合、情報処理装置３と表記する。図１では、情報処理装置３Ａ、３Ｂ、３Ｃを示しているが、情報
処理装置３の台数は、図１に示す台数に制限されるものではない。ネットワーク２は、有線又は無線のネットワークであり、例えば、インターネット、ＷＡＮ（Wide Area Network）、ＬＡＮ（Local Area Network）等である。
【００２３】
情報処理装置３は、コンテンツデータをサーバ１に送信する。コンテンツデータは、例えば、静止画像データ、動画像データ、音声データ及びテキストデータのいずれか又はそれらを組み合わせたデータであるが、これら以外のデータであってもよい。コンテンツデータは、ＵＧＣ（User Generated Contents）データであってもよい。ＵＧＣデータは、
ユーザによって作成されたコンテンツデータである。ＵＧＣデータは、情報処理装置３によって作成されてもよいし、情報処理装置３とは異なる他の装置によって作成されてもよい。
【００２４】
サーバ１は、コンテンツデータを情報処理装置３から受信する。サーバ１は、サーバ１が有するメモリにコンテンツデータを格納してもよいし、ネットワーク２上の外部格納装置にコンテンツデータを格納してもよい。
【００２５】
サーバ１は、コンテンツデータの格納場所を示す格納場所情報を作成する。格納場所情報は、例えば、ＵＲＬ（Uniform Resource Locator）である。ＵＲＬは、例えば、ネットワーク２上に存在するコンテンツデータにアクセスするためのプロトコル、コンテンツデータが存在するネットワーク２上のサーバ名、コンテンツデータを格納しているフォルダ名及びファイル名で構成されている。また、ＵＲＬは、プロトコル、サーバ名及びフォルダ名で構成されていてもよい。
【００２６】
情報処理装置３は、格納場所情報の送信の許可をサーバ１に要求する。格納場所情報の送信の許可は、格納場所情報を送信先に送信してもよいかの許可である。情報処理装置３がサーバ１に対して格納場所情報の送信の許可を要求する時点において、格納場所情報の送信先を特に設定する必要はない。ただし、情報処理装置３がサーバ１に対して格納場所情報の送信の許可を要求する時点において、格納場所情報の送信先を設定しておいてもよい。例えば、情報処理装置３Ａの場合、格納場所情報を情報処理装置３Ｂに送信してもよいかの許可をサーバ１に要求してもよい。
【００２７】
サーバ１は、格納場所情報を作成する前に又は格納場所情報を作成した後に、格納場所情報の送信の許可又は不許可を決定する。サーバ１が、格納場所情報を作成する前に、格納場所情報の送信の許可を決定した場合、サーバ１は、格納場所情報の送信の許可を決定した後、格納場所情報を作成する。サーバ１が、格納場所情報を作成する前に、格納場所情報の送信の不許可を決定した場合、サーバ１は、格納場所情報を作成せずに、コンテンツデータを削除する。サーバ１が、格納場所情報を作成した後に、格納場所情報の送信の許可を決定した場合、サーバ１は、コンテンツデータを保持する。サーバ１が、格納場所情報を作成した後に、格納場所情報の送信の不許可を決定した場合、サーバ１は、コンテンツデータを削除する。
【００２８】
サーバ１は、格納場所情報を情報処理装置３に送信する。また、サーバ１は、格納場所情報とともに所定データを情報処理装置３に送信してもよいし、格納場所情報が記述されたファイル又はメールを情報処理装置３に送信してもよい。情報処理装置３は、格納場所情報をサーバ１から受信する。また、情報処理装置３は、格納場所情報とともに所定データをサーバ１から受信してもよいし、格納場所情報が記述されたファイル又はメールをサーバ１から受信してもよい。
【００２９】
情報処理装置３は、格納場所情報を他の情報処理装置３に送信する。また、情報処理装置３は、格納場所情報とともに所定データを他の情報処理装置３に送信してもよいし、格
納場所情報が記述されたファイル又はメールを情報処理装置３に送信してもよい。ここで、他の情報処理装置３について説明する。情報処理装置３Ａを自装置とする場合、他の情報処理装置３は、情報処理装置３Ｂ及び３Ｃの一方又は双方である。以下では、他の情報処理装置３を単数として取り扱うが、これに限定されず、他の情報処理装置３を複数として取り扱ってもよい。
【００３０】
他の情報処理装置３は、格納場所情報を情報処理装置３から受信する。また、他の情報処理装置３は、格納場所情報とともに所定データを情報処理装置３から受信してもよいし、格納場所情報が記述されたファイル又はメールを情報処理装置３から受信してもよい。他の情報処理装置３は、格納場所情報に基づいて、コンテンツデータにアクセスを行い、コンテンツデータを取得（ダウンロード）する。例えば、格納場所情報の一例であるＵＲＬが、プロトコル、サーバ名、フォルダ名及びファイル名で構成されている場合、他の情報処理装置３は、ＵＲＬに基づいて、コンテンツデータのファイルをアクセスし、コンテンツデータのファイルを取得（ダウンロード）する。例えば、格納場所情報の一例であるＵＲＬが、プロトコル、サーバ名及びフォルダ名で構成されている場合、他の情報処理装置３は、ＵＲＬに基づいて、コンテンツデータのファイルが格納されているフォルダをアクセスし、コンテンツデータのファイルを取得（ダウンロード）する。
【００３１】
図２は、サーバ１のハードウェア構成の一例を示す図である。サーバ１は、パーソナルコンピュータ（ＰＣ、Personal Computer）によって例示される汎用コンピュータ又はサ
ーバマシンによって例示される専用コンピュータを使用して実現可能である。サーバ１は、ＣＰＵ（Central Processing Unit）１１、メモリ１２、補助記憶装置１３、通信イン
ターフェース１４、表示装置１５及び操作インターフェース１６を有している。これらは、相互にバスを介して接続されている。図２に示すサーバ１の構成要素の全てが必須という訳ではなく、サーバ１を実現する上で、適宜、サーバ１の構成要素の追加又は削除がされてもよい。
【００３２】
ＣＰＵ１１は、メモリ１２に記憶されているプログラムに従って各種の処理を実行する。ＣＰＵ１１は、通信インターフェース１４を介して、情報処理装置３と通信回線を確立する。メモリ１２は、ＲＯＭ（Read Only Memory）１２１及びＲＡＭ（Random Access Memory）１２２を含む。ＲＯＭ１２１は、例えば、サーバ１を制御するための制御プログラム及び制御データを記憶する。ＲＡＭ１２２は、プログラム又はデータを一時的に記憶し、ワーキングエリアとして機能する。
【００３３】
補助記憶装置１３は、必要なデータを格納しているハードディスク（図示せず）に対する読み書き制御を行う。通信インターフェース１４は、モデム、ターミナルアダプタ等の通信装置を備えており、情報処理装置３との通信の制御を行う。表示装置１５は、例えば、ＣＲＴ（Cathode Ray Tube）、液晶ディスプレイ、プラズマディスプレイ及び有機ＥＬ（electroluminescence）ディスプレイ等である。操作インターフェース１６は、例えば
、キーボード、マウス等であり、所定のコマンドや必要なデータを入力するときなどに操作される。
【００３４】
図３は、サーバ１の機能ブロックの一例を示す図である。サーバ１は、受信部１１１、制御部１１２、格納部１１３、作成部１１４、受付部１１５、決定部１１６及び送信部１１７を有する。図３に示す各機能部は、ＣＰＵ１１、メモリ１２等を含むコンピュータ、通信インターフェース１４及びコンピュータ上で実行されるプログラム等によって実現される。
【００３５】
受信部１１１は、情報処理装置３からコンテンツデータを受信する。制御部１１２は、コンテンツデータを格納部１１３又はネットワーク２上の外部格納装置に格納（記憶）す
る。作成部１１４は、格納場所情報を作成する。受付部１１５は、格納場所情報の送信の許可の要求を、情報処理装置３から受け付ける。
【００３６】
決定部１１６は、格納場所情報の送信の許可の要求に対して、格納場所情報の送信の許可又は不許可を決定する。格納場所情報の送信の許可又は不許可の決定は、情報処理装置３から受信したコンテンツデータが所定基準を満たしているか否かに基づいて行われる。情報処理装置３から受信したコンテンツデータが所定基準を満たしている場合、決定部１１６は、格納場所情報の送信の許可を決定する。情報処理装置３から受信したコンテンツデータが所定基準を満たしていない場合、決定部１１６は、格納場所情報の送信の不許可を決定する。決定部１１６は、情報処理装置３から受信したコンテンツデータと、コンテンツデータのサンプルとを比較することにより、情報処理装置３から受信したコンテンツデータが所定基準を満たしているか否かを決定してもよい。コンテンツデータのサンプルは、格納部１１３に格納してもよいし、ネットワーク２上の外部格納装置に格納してもよい。
【００３７】
送信部１１７は、格納場所情報をコンテンツデータの送信元の情報処理装置３に送信する。例えば、コンテンツデータの送信元が情報処理装置３Ａの場合、送信部１１７は、情報処理装置３Ａが送信したコンテンツデータに関する格納場所情報を、情報処理装置３Ａに送信する。決定部１１６によって格納場所情報の送信の許可が決定された場合、送信部１１７は、格納場所情報の送信の許可に関する情報を、情報処理装置３に送信してもよい。決定部１１６によって格納場所情報の送信の不許可が決定された場合、送信部１１７は、格納場所情報の送信の不許可に関する情報を、情報処理装置３に送信してもよい。
【００３８】
図４は、情報処理装置３のハードウェア構成の一例を示す図である。情報処理装置３は、ＰＣ（Personal Computer）、ＰＤＡ（Personal Digital Assistant）、スマートフォ
ン、タブレット端末、携帯電話、電子ブック、ゲーム機等の電子機器を使用して実現可能である。情報処理装置３は、ＣＰＵ３１、メモリ３２、通信インターフェース３３、表示装置３４及び操作インターフェース３５を有している。情報処理装置１は、更に、補助記憶装置３６を有していてもよい。これらは、相互にバスを介して接続されている。図４に示す情報処理装置３の構成要素の全てが必須という訳ではなく、情報処理装置３を実現する上で、適宜、情報処理装置３の構成要素の追加又は削除がされてもよい。
【００３９】
ＣＰＵ３１は、メモリ３２に記憶されているプログラムに従って各種の処理を実行する。ＣＰＵ３１は、通信インターフェース３３を介して、サーバ１と通信回線を確立する。メモリ３２は、ＲＯＭ３２１及びＲＡＭ３２２を含む。ＲＯＭ３２１は、例えば、情報処理装置３を制御するための制御プログラム及び制御データを記憶する。ＲＡＭ３２２は、プログラム又はデータを一時的に記憶し、ワーキングエリアとして機能する。
【００４０】
通信インターフェース３３は、モデム、ターミナルアダプタ、無線通信モジュール等の通信装置を備えており、サーバ１又は他の情報処理装置３との通信の制御を行う。表示装置３４は、例えば、ＣＲＴ、液晶ディスプレイ、プラズマディスプレイ及び有機ＥＬディスプレイ等である。操作インターフェース３５は、例えば、キーボード、マウス等であり、所定のコマンドや必要なデータを入力するときなどに操作される。補助記憶装置３６は、必要なデータを格納しているハードディスク（図示せず）に対する読み書き制御を行う。
【００４１】
図５Ａは、情報処理装置３の機能ブロックの一例を示す図である。情報処理装置３は、第１送信部３１１、要求部３１２、受信部３１３及び第２送信部３１４を有する。情報処理装置３は、更に、検知部３１５及びアクセス部３１６を有する。図５Ａに示す各機能部は、ＣＰＵ３１、メモリ３２等を含むコンピュータ、通信インターフェース３３及びコン
ピュータ上で実行されるプログラム等によって実現される。
【００４２】
第１送信部３１１は、コンテンツデータをサーバ１に送信する。要求部３１２は、格納場所情報の送信の許可をサーバ１に要求する。受信部３１３は、サーバ１から格納場所情報を受信する。第２送信部３１４は、格納場所情報を他の情報処理装置３に送信する。
【００４３】
検知部３１５は、他の情報処理装置３が所定の検知可能範囲内（例えば、他の情報処理装置３との距離が１０ｍ以内）に位置する場合、他の情報処理装置３を検知する。検知部３１５は、ビーコン送信部３１５１及び応答受信部３１５２を含んでいる。ビーコン送信部３１５１は、周期的又は所定時刻に、通信可能圏内に位置する他の情報処理装置３に対してブロードキャストでビーコン（信号）を送信する。応答受信部３１５２は、ビーコン送信部３１５１によって送信されたビーコンに対する応答を、他の情報処理装置３から受信する。応答受信部３１５２が、他の情報処理装置３からビーコンに対する応答を受信することにより、検知部３１５は、他の情報処理装置３を検知する。検知部３１５が他の情報処理装置３を検知した場合、第２送信部３１４は、検知された他の情報処理装置３に格納場所情報を送信する。検知部３１５が他の情報処理装置３を検知した場合、第２送信部３１４は、検知された他の情報処理装置３に格納場所情報を自動的に送信するようにしてもよい。すなわち、情報処理装置３のユーザが、他の情報処理装置３の存在を認識していなくとも、第２送信部３１４は、検知された他の情報処理装置３に格納場所情報を送信するようにしてもよい。アクセス部３１６は、サーバ１にアクセスする。
【００４４】
図５Ｂは、情報処理装置３の機能ブロックの一例を示す図である。情報処理装置３は、受信部３２１、表示部３２２、アクセス部３２３、取得部３２４、ビーコン受信部３２５及び応答部３２６を有する。図５Ｂに示す各機能部は、ＣＰＵ３１、メモリ３２等を含むコンピュータ、通信インターフェース３３及びコンピュータ上で実行されるプログラム等によって実現される。
【００４５】
受信部３２１は、他の情報処理装置３から格納場所情報を受信する。受信部３２１は、他の情報処理装置３から格納場所情報を自動的に受信するようにしてもよい。すなわち、情報処理装置３のユーザが、他の情報処理装置３の存在を認識していなくとも、受信部３２１は、他の情報処理装置３から格納場所情報を受信するようにしてもよい。表示部３２２は、格納場所情報を表示する。アクセス部３２３は、格納場所情報に基づいてコンテンツデータにアクセスする。また、アクセス部３２３は、サーバ１にアクセスする。取得部３２４は、サーバ１又はネットワーク２上の外部格納装置からコンテンツデータを取得（ダウンロード）する。ビーコン受信部３２５は、他の情報処理装置３から送信されるビーコンを受信する。応答部３２６は、ビーコンを送信した他の情報処理装置３に対して、ビーコンに対する応答を送信する。
【００４６】
情報処理装置３は、図５Ａ及び図５Ｂに示す各機能部を選択的に有してもよい。情報処理装置３は、第１送信部３１１、要求部３１２、受信部３１３、第２送信部３１４、検知部３１５及びアクセス部３１６を有し、更に、受信部３２１、表示部３２２、アクセス部３２３、取得部３２４、ビーコン受信部３２５及び応答部３２６のいずれか一つ又は複数を有してもよい。情報処理装置３は、受信部３２１、表示部３２２、アクセス部３２３、取得部３２４、ビーコン受信部３２５及び応答部３２６を有し、更に、第１送信部３１１、要求部３１２、受信部３１３、第２送信部３１４、検知部３１５及びアクセス部３１６のいずれか一つ又は複数を有してもよい。情報処理装置３は、更に、記憶部を有していてもよい。情報処理装置３は、受信部３１３及び３２１によって受信された格納場所情報を記憶部に記憶するようにしてもよい。情報処理装置３は、取得部３２４によって取得されたコンテンツデータを記憶部に記憶するようにしてもよい。
【実施例１】
【００４７】
図６Ａは、実施形態のシステムの実施例１を示すシーケンス図である。図６Ａに示すシーケンス図では、サーバ１、情報処理装置３Ａ及び情報処理装置３Ｂを用いて、実施形態のシステムの動作例を説明している。
【００４８】
図６ＡのＳ６０１において、情報処理装置３Ａの第１送信部３１１は、サーバ１にコンテンツデータを送信する。図６ＡのＳ６０２において、サーバ１の受信部１１１は、情報処理装置３Ａからコンテンツデータを受信する。図６ＡのＳ６０２において、サーバ１の制御部１１２は、サーバ１の格納部１１３又はネットワーク２上の外部格納装置にコンテンツデータを格納する。
【００４９】
図６ＡのＳ６０３において、情報処理装置３Ａの要求部３１２は、サーバ１に格納場所情報の送信の許可の要求を行う。図６ＡのＳ６０４において、サーバ１の受付部１１５は、情報処理装置３Ａから格納場所情報の送信の許可の要求を受け付ける。
【００５０】
図６ＡのＳ６０５において、サーバ１の決定部１１６は、情報処理装置３Ａから受け付けた格納場所情報の送信の許可の要求に対して、格納場所情報の送信の許可又は不許可を決定する。サーバ１の決定部１１６が、情報処理装置３Ａから受け付けた格納場所情報の送信の許可の要求に対して、格納場所情報の送信の不許可を決定した場合、処理が図６ＡのＳ６０６に進む。一方、サーバ１の決定部１１６が、情報処理装置３Ａから受け付けた格納場所情報の送信の許可の要求に対して、格納場所情報の送信の許可を決定した場合、処理が図６ＡのＳ６０７に進む。
【００５１】
図６ＡのＳ６０６において、サーバ１の制御部１１２は、格納部１１３又はネットワーク２上の外部格納装置に格納されているコンテンツデータに対するアクセス制限を設定する。例えば、情報処理装置３Ａは、コンテンツデータに対するアクセスが可能であり、情報処理装置３Ａ以外の他の装置は、コンテンツデータに対するアクセスが不可能である、というアクセス制限が設定されてもよい。また、例えば、コンテンツデータに対する全てのアクセスを不可能とするアクセス制限が設定されてもよい。更に、例えば、格納部１１３又はネットワーク２の外部格納装置に格納されているコンテンツデータを削除することによって、コンテンツデータに対する全てのアクセスを不可能とするアクセス制限が設定されてもよい。図６ＡのＳ６０６において、サーバ１の送信部１１７は、格納場所情報の送信の不許可に関する情報を情報処理装置３Ａに送信するようにしてもよい。情報処理装置３Ａの受信部３１３が、格納場所情報の送信の不許可に関する情報をサーバ１から受信することにより、サーバ１に送信したコンテンツデータが所定基準を満たしていないことを、情報処理装置３Ａのユーザは認識することができる。
【００５２】
図６ＡのＳ６０７において、サーバ１の作成部１１４は、情報処理装置３Ａから受信したコンテンツデータの格納場所を示す格納場所情報を作成する。図６ＡのＳ６０８において、サーバ１の送信部１１７は、格納場所情報を情報処理装置３Ａに送信する。この場合サーバ１の送信部１１７は、格納場所情報とともに所定データを情報処理装置３Ａに送信してもよいし、格納場所情報が記述されたファイル又はメールを情報処理装置３Ａに送信してもよい。図６ＡのＳ６０９において、情報処理装置３Ａの受信部３１３は、サーバ１から格納場所情報を受信する。この場合、情報処理装置３Ａの受信部３１３は、格納場所情報とともに所定データをサーバ１から受信してもよいし、格納場所情報が記述されたファイル又はメールをサーバ１から受信してもよい。
【００５３】
図６ＡのＳ６１０において、情報処理装置３Ａの第２送信部３１４は、格納場所情報を情報処理装置３Ｂに送信する。この場合、格納場所情報とともに所定データを情報処理装置３Ｂに送信してもよいし、格納場所情報が記述されたファイル又はメールを情報処理装
置３Ｂに送信してもよい。図６Ａに示すシーケンス図では、情報処理装置３Ａの第２送信部３１４が、格納場所情報を情報処理装置３Ｂに送信する例を示しているが、これに限定されず、情報処理装置３Ａの第２送信部３１４は、格納場所情報を情報処理装置３Ｃに送信してもよい。格納場所情報の送信回数に制限を設けるようにしてもよい。例えば、格納場所情報の送信回数が１回に制限されている場合、情報処理装置３Ａの第２送信部３１４は、格納場所情報を情報処理装置３Ｂに送信すると、情報処理装置３Ａの第２送信部３１４は、格納場所情報を情報処理装置３Ｃに送信できなくなる。図６ＡのＳ６１１において、情報処理装置３Ｂの受信部３２１は、情報処理装置３Ａから格納場所情報を受信する。この場合、情報処理装置３Ｂの受信部３２１は、格納場所情報とともに所定データを情報処理装置３Ａから受信してもよいし、格納場所情報が記述されたファイル又はメールを情報処理装置３Ａから受信してもよい。
【００５４】
図６ＡのＳ６１２において、情報処理装置３Ｂの表示部３２２は、格納場所情報を表示する。図６ＡのＳ６１３において、情報処理装置３Ｂのユーザがコンテンツデータに対するアクセスを所望する場合、情報処理装置３Ｂのアクセス部３２３は、格納場所情報に基づいてコンテンツデータにアクセスする。この場合、情報処理装置３Ｂのアクセス部３２３は、ユーザの指示や操作に従って、コンテンツデータにアクセスしてもよい。
【実施例２】
【００５５】
図６Ｂは、実施形態のシステムの実施例２を示すシーケンス図である。図６Ｂに示すシーケンス図では、サーバ１、情報処理装置３Ａ及び情報処理装置３Ｂを用いて、実施形態のシステムの動作例を説明している。
【００５６】
図６ＢのＳ６０１Ｂにおいて、情報処理装置３Ａの第１送信部３１１は、サーバ１にコンテンツデータを送信する。図６ＢのＳ６０２Ｂにおいて、サーバ１の受信部１１１は、情報処理装置３Ａからコンテンツデータを受信する。図６ＢのＳ６０２Ｂにおいて、サーバ１の制御部１１２は、サーバ１の格納部１１３又はネットワーク２上の外部格納装置にコンテンツデータを格納する。
【００５７】
図６ＢのＳ６０３Ｂにおいて、サーバ１の決定部１１６は、情報処理装置３Ａから受信したコンテンツデータに関して、格納場所情報の送信の許可又は不許可を決定する。サーバ１の決定部１１６が、情報処理装置３Ａから受信したコンテンツデータに関して、格納場所情報の送信の不許可を決定した場合、処理が図６ＢのＳ６０４Ｂに進む。一方、サーバ１の決定部１１６が、情報処理装置３Ａから受信したコンテンツデータに関して、格納場所情報の送信の許可を決定した場合、処理が図６のＳ６０５Ｂに進む。
【００５８】
図６Ｂのシーケンス図に示すＳ６０４ＢからＳ６１１Ｂの処理は、図６Ａのシーケンス図に示すＳ６０６からＳ６１３の処理と同様であるため、図６Ｂのシーケンス図に示すＳ６０４ＢからＳ６１１Ｂの処理の説明を省略する。
【００５９】
実施例１及び２によれば、情報処理装置３Ｂの受信部３２１が、情報処理装置３Ａから格納場所情報を受信することにより、情報処理装置３Ｂのアクセス部３２３は、格納場所情報に基づいて、コンテンツデータにアクセスし、情報処理装置３Ｂの取得部３２４は、サーバ１からコンテンツデータを取得（ダウンロード）することができる。したがって、情報処理装置３Ａと情報処理装置３Ｂとの間の通信量を抑制しつつ、情報処理装置３Ｂは、コンテンツデータを取得することができる。
【００６０】
実施例１によれば、情報処理装置３Ａの要求部３１２が、格納場所情報の送信の許可をサーバ１に要求することで、格納場所情報の送信の許可又は不許可についてのサーバ１の判断を受けることができ、アクセス先のコンテンツデータの信頼性を向上することができ
る。
【００６１】
実施例２によれば、情報処理装置３Ａの第１送信部３１１が、サーバ１にコンテンツデータを送信することで、格納場所情報の送信の許可又は不許可についてのサーバ１の判断を受けることができ、アクセス先のコンテンツデータの信頼性を向上することができる。
【００６２】
実施例１及び２では、サーバ１の決定部１１６が、格納場所情報の送信の許可を決定した場合、サーバ１の送信部１１７が、格納場所情報を情報処理装置３Ａに送信する。サーバ１の決定部１１６による格納場所情報の送信の許可の決定の後、情報処理装置３Ａの受信部３１３が、格納場所情報をサーバ１から受信し、情報処理装置３Ａの第２送信部３１４は、格納場所情報を情報処理装置３Ｂに送信する。したがって、サーバ１の決定部１１６による格納場所情報の送信の許可の決定の後、情報処理装置３Ｂの受信部３２１は、格納場所情報を情報処理装置３Ａから受信し、情報処理装置３Ｂのアクセス部３２３は、格納場所情報に基づいてコンテンツデータにアクセスすることになる。すなわち、情報処理装置３Ｂのアクセス部３２３が、格納場所情報に基づいてコンテンツデータにアクセスすることが可能な状態になる前に、サーバ１の決定部１１６による格納場所情報の送信の許可の決定が行われており、アクセス先のコンテンツデータの信頼性を更に向上することができる。
【００６３】
実施例１及び２によれば、コンテンツデータは、サーバ１の決定部１１６によって所定基準が満たされているかの判定が行われている。したがって、情報処理装置３Ｂのアクセス部３２３は、所定基準が満たされたコンテンツデータにアクセスすることができ、情報処理装置３Ｂの取得部３２４は、所定基準が満たされたコンテンツデータをサーバ１から取得（ダウンロード）することができる。
【実施例３】
【００６４】
図７Ａは、実施形態のシステムの実施例３を示すシーケンス図である。図７Ａに示すシーケンス図では、サーバ１、情報処理装置３Ａ及び情報処理装置３Ｂを用いて、実施形態のシステムの動作例を説明している。
【００６５】
図７Ａのシーケンス図に示すＳ７０１からＳ７０４の処理は、図６Ａのシーケンス図に示すＳ６０１からＳ６０４の処理と同様であるため、図７Ａのシーケンス図に示すＳ７０１からＳ７０４の処理の説明を省略する。したがって、以下では、図７Ａのシーケンス図に示すＳ７０５以降の処理を説明する。
【００６６】
図７ＡのＳ７０５において、サーバ１の作成部１１４は、情報処理装置３Ａから受信したコンテンツデータの格納場所を示す格納場所情報を作成する。図７ＡのＳ７０６において、サーバ１の送信部１１７は、格納場所情報を情報処理装置３Ａに送信する。この場合、サーバ１の送信部１１７は、格納場所情報とともに所定データを情報処理装置３Ａに送信してもよいし、格納場所情報が記述されたファイル又はメールを情報処理装置３Ａに送信してもよい。図７ＡのＳ７０７において、情報処理装置３Ａの受信部３１３は、サーバ１から格納場所情報を受信する。この場合、情報処理装置３Ａの受信部３１３は、格納場所情報とともに所定データをサーバ１から受信してもよいし、格納場所情報が記述されたファイル又はメールをサーバ１から受信してもよい。
【００６７】
図７ＡのＳ７０８において、サーバ１の決定部１１６は、情報処理装置３Ａから受け付けた格納場所情報の送信の許可の要求に対して、格納場所情報の送信の許可又は不許可を決定する。サーバ１の決定部１１６が、情報処理装置３Ａから受け付けた格納場所情報の送信の許可の要求に対して、格納場所情報の送信の不許可を決定した場合、処理が図７ＡのＳ７０９に進む。図７ＡのＳ７０９において、サーバ１の制御部１１２は、格納部１１
３又はネットワーク２上の外部格納装置に格納されているコンテンツデータに対するアクセス制限を設定する。例えば、情報処理装置３Ａは、コンテンツデータに対するアクセスが可能であり、情報処理装置３Ａ以外の他の装置は、コンテンツデータに対するアクセスが不可能である、というアクセス制限が設定されてもよい。また、例えば、コンテンツデータに対する全てのアクセスを不可能とするアクセス制限が設定されてもよい。更に、例えば、格納部１１３又はネットワーク２上の外部格納装置に格納されているコンテンツデータを削除することによって、コンテンツデータに対する全てのアクセスを不可能とするアクセス制限が設定されてもよい。図７ＡのＳ７０９において、サーバ１の送信部１１７は、格納場所情報の送信の不許可に関する情報を情報処理装置３Ａに送信するようにしてもよい。情報処理装置３Ａの受信部３１３が、格納場所情報の送信の不許可に関する情報をサーバ１から受信することにより、サーバ１に送信したコンテンツデータが所定基準を満たしていないことを、情報処理装置３Ａのユーザは認識することができる。
【００６８】
サーバ１の決定部１１６が、情報処理装置３Ａから受け付けた格納場所情報の送信の許可の要求に対して、格納場所情報の送信の許可を決定した場合、処理が図７ＡのＳ７１０に進む。図７ＡのＳ７１０において、サーバ１の制御部１１２は、格納部１１３又はネットワーク２上の外部格納装置に格納されているコンテンツデータを、アクセス可能な状態に保持する。
【００６９】
図７ＡのＳ７１１において、情報処理装置３Ａの第２送信部３１４は、所定時点Ｔ１から所定時間が経過した後、格納場所情報を情報処理装置３Ｂに送信する。この場合、情報処理装置３Ａの第２送信部３１４は、格納場所情報とともに所定データを情報処理装置３Ｂに送信してもよいし、格納場所情報が記述されたファイル又はメールを情報処理装置３Ｂに送信してもよい。所定時点Ｔ１は、例えば、情報処理装置３Ａの第１送信部３１１がサーバ１にコンテンツデータを送信した時点、情報処理装置３Ａの要求部３１２がサーバ１に格納場所情報の送信の許可の要求を行った時点、又は、情報処理装置３Ａの受信部３１３がサーバ１から格納場所情報を受信した時点、である。
【００７０】
図７Ａに示すシーケンス図では、情報処理装置３Ａの第２送信部３１４が、格納場所情報を情報処理装置３Ｂに送信する例を示しているが、これに限定されず、情報処理装置３Ａの第２送信部３１４は、格納場所情報を情報処理装置３Ｃに送信してもよい。格納場所情報の送信回数に制限を設けるようにしてもよい。例えば、格納場所情報の送信回数が１回に制限されている場合、情報処理装置３Ａの第２送信部３１４は、格納場所情報を情報処理装置３Ｂに送信すると、情報処理装置３Ａの第２送信部３１４は、格納場所情報を情報処理装置３Ｃに送信できなくなる。
【００７１】
図７ＡのＳ７１２において、情報処理装置３Ｂの受信部３２１は、情報処理装置３Ａから格納場所情報を受信する。この場合、情報処理装置３Ｂの受信部３２１は、格納場所情報とともに所定データを情報処理装置３Ａから受信してもよいし、格納場所情報が記述されたファイル又はメールを情報処理装置３Ａから受信してもよい。図７ＡのＳ７１３において、情報処理装置３Ｂの表示部３２２は、格納場所情報を表示する。図７ＡのＳ７１４において、情報処理装置３Ｂのユーザがコンテンツデータに対するアクセスを所望する場合、情報処理装置３Ｂのアクセス部３２３は、格納場所情報に基づいてコンテンツデータにアクセスする。この場合、情報処理装置３Ｂのアクセス部３２３は、ユーザの指示や操作に従って、コンテンツデータにアクセスしてもよい。サーバ１の格納部１１３又はネットワーク２上の外部格納装置にコンテンツデータがアクセス可能な状態で保持されている場合、情報処理装置３Ｂのアクセス部３２３はコンテンツデータにアクセスすることが可能となる。
【実施例４】
【００７２】
図７Ｂは、実施形態のシステムの実施例４を示すシーケンス図である。図７Ｂに示すシーケンス図では、サーバ１、情報処理装置３Ａ及び情報処理装置３Ｂを用いて、実施形態のシステムの動作例を説明している。
【００７３】
図７ＢのＳ７０１Ｂにおいて、情報処理装置３Ａの第１送信部３１１は、サーバ１にコンテンツデータを送信する。図７ＢのＳ７０２Ｂにおいて、サーバ１の受信部１１１は、情報処理装置３Ａからコンテンツデータを受信する。図７ＢのＳ７０２Ｂにおいて、サーバ１の制御部１１２は、サーバ１の格納部１１３又はネットワーク２上の外部格納装置にコンテンツデータを格納する。
【００７４】
図７ＢのＳ７０３Ｂにおいて、サーバ１の作成部１１４は、情報処理装置３Ａから受信したコンテンツデータの格納場所を示す格納場所情報を作成する。図７Ｂのシーケンス図に示すＳ７０４ＢからＳ７１２Ｂの処理は、図７Ａのシーケンス図に示すＳ７０６からＳ７１４の処理と同様であるため、図７Ｂのシーケンス図に示すＳ７０４ＢからＳ７１２Ｂの処理の説明を省略する。
【００７５】
実施例３及び４によれば、情報処理装置３Ｂの受信部３２１が、情報処理装置３Ａから格納場所情報を受信することにより、情報処理装置３Ｂのアクセス部３２３は、格納場所情報に基づいて、コンテンツデータにアクセスし、情報処理装置３Ｂの取得部３２４は、サーバ１からコンテンツデータを取得（ダウンロード）することができる。したがって、情報処理装置３Ａと情報処理装置３Ｂとの間の通信量を抑制しつつ、情報処理装置３Ｂは、コンテンツデータを取得することができる。
【００７６】
実施例３によれば、情報処理装置３Ａの要求部３１２が、格納場所情報の送信の許可をサーバ１に要求することで、格納場所情報の送信の許可又は不許可についてのサーバ１の判断を受けることができ、アクセス先のコンテンツデータの信頼性を向上することができる。
【００７７】
実施例４によれば、情報処理装置３Ａの第１送信部３１１が、サーバ１にコンテンツデータを送信することで、格納場所情報の送信の許可又は不許可についてのサーバ１の判断を受けることができ、アクセス先のコンテンツデータの信頼性を向上することができる。
【００７８】
情報処理装置３Ａの第２送信部３１４が、所定時点Ｔ１から所定時間が経過する前に、格納場所情報を情報処理装置３Ｂに送信した場合、サーバ１の決定部１１６が、格納場所情報の送信の許可の決定を行う前に、情報処理装置３Ｂのアクセス部３２３は、コンテンツデータにアクセスすることが可能となる。実施例３及び４によれば、情報処理装置３Ａの第２送信部３１４は、所定時点Ｔ１から所定時間が経過した後、格納場所情報を情報処理装置３Ｂに送信する。したがって、情報処理装置３Ｂのアクセス部３２３は、所定時点Ｔ１から所定時間が経過した後、コンテンツデータにアクセスする。これにより、サーバ１の決定部１１６が、格納場所情報の送信の許可の決定を行う前に、コンテンツデータに対するアクセスが行われることを抑制できる。
【００７９】
実施例３及び４によれば、サーバ１の決定部１１６が、格納場所情報の送信の不許可を決定した場合、サーバ１の制御部１１２は、格納部１１３又はネットワーク２上の外部格納装置に格納されているコンテンツデータのアクセス制限を設定する（図７ＡのＳ７０８、Ｓ７０９、図７ＢのＳ７０６Ｂ、７０７Ｂ参照）。情報処理装置３Ｂのアクセス部３２３は、所定時点Ｔ１から所定時間が経過した後、コンテンツデータにアクセスするため、アクセス制限が設定されたコンテンツデータ（所定基準を満たしていないコンテンツデータ）に対するアクセスを抑制することができる。例えば、情報処理装置３Ｂの受信部３２１が、情報処理装置３Ａから格納場所情報を受信した時点で、サーバ１の制御部１１２が
、コンテンツデータに対するアクセス制限の設定を行っていた場合、情報処理装置３Ｂのアクセス部３２３は、コンテンツデータにアクセスできなくなる。一方、サーバ１の決定部１１６が、格納場所情報の送信の許可を決定した場合、サーバ１の制御部１１２は、コンテンツデータをアクセス可能な状態に保持する。したがって、情報処理装置３Ｂのアクセス部３２３は、アクセス可能な状態に保持されているコンテンツデータにアクセスすることができる。
【００８０】
〈変形例１〉
実施例３について、図７ＡのＳ７１１からＳ７１４を以下のように変形してもよい。また、実施例４について、図７ＢのＳ７０９ＢからＳ７１２Ｂを以下のように変形してもよい。図７ＡのＳ７１１及び図７ＢのＳ７０９Ｂにおいて、情報処理装置３Ａの第２送信部３１４は、所定時点Ｔ１から所定時間が経過する前に、格納場所情報を情報処理装置３Ｂに送信する。この場合、情報処理装置３Ａの第２送信部３１４は、格納場所情報とともに所定データを情報処理装置３Ｂに送信してもよいし、格納場所情報が記述されたファイル又はメールを情報処理装置３Ｂに送信してもよい。図７ＡのＳ７１２及び図７ＢのＳ７１０Ｂにおいて、情報処理装置３Ｂの受信部３２１は、情報処理装置３Ａから格納場所情報を受信する。この場合、情報処理装置３Ｂの受信部３２１は、格納場所情報とともに所定データを情報処理装置３Ａから受信してもよいし、格納場所情報が記述されたファイル又はメールを情報処理装置３Ａから受信してもよい。
【００８１】
次に、図７ＡのＳ７１３及び図７ＢのＳ７１１Ｂにおいて、情報処理装置３Ｂの表示部３２２は、格納場所情報を表示する。図７ＡのＳ７１４及び図７ＢのＳ７１２Ｂにおいて、情報処理装置３Ｂのユーザがコンテンツデータに対するアクセスを所望する場合、情報処理装置３Ｂのアクセス部３２３は、所定時点Ｔ１から所定時間が経過するまで待機し、所定時点Ｔ１から所定時間が経過した後、格納場所情報に基づいてコンテンツデータにアクセスする。この場合、情報処理装置３Ｂのアクセス部３２３は、ユーザの指示や操作に従って、コンテンツデータにアクセスしてもよい。所定時点Ｔ１から所定時間が経過するまでの間、情報処理装置３Ｂの表示部３２２は、所定時刻までコンテンツデータにアクセスできない旨のメッセージを表示するようにしてもよい。
【００８２】
変形例１によれば、情報処理装置３Ｂのアクセス部３２３は、所定時点Ｔ１から所定時間が経過するまで待機し、所定時点Ｔ１から所定時間が経過した後、コンテンツデータにアクセスする。これにより、サーバ１の決定部１１６が、格納場所情報の送信の許可の決定を行う前に、コンテンツデータに対するアクセスが行われることを抑制できる。
【００８３】
〈変形例２〉
実施例３について、図７ＡのＳ７１１からＳ７１３を以下のように変形してもよい。また、実施例４について、図７ＢのＳ７０９ＢからＳ７１１Ｂを以下のように変形してもよい。図７ＡのＳ７１１及び図７ＢのＳ７０９Ｂにおいて、情報処理装置３Ａの第２送信部３１４は、格納場所情報を情報処理装置３Ｂに送信する。この場合、情報処理装置３Ａの第２送信部３１４は、格納場所情報とともに所定データを情報処理装置３Ｂに送信してもよいし、格納場所情報が記述されたファイル又はメールを情報処理装置３Ｂに送信してもよい。図７ＡのＳ７１２及び図７ＢのＳ７１０Ｂにおいて、情報処理装置３Ｂの受信部３２１は、情報処理装置３Ａから格納場所情報を受信する。この場合、情報処理装置３Ｂの受信部３２１は、格納場所情報とともに所定データを情報処理装置３Ａから受信してもよいし、格納場所情報が記述されたファイル又はメールを情報処理装置３Ａから受信してもよい。
【００８４】
次に、図７ＡのＳ７１３及び図７ＢのＳ７１１Ｂにおいて、情報処理装置３Ｂの表示部３２２は、所定時点Ｔ２から所定時間が経過した後、格納場所情報を表示する。所定時点
Ｔ２は、例えば、情報処理装置３Ａの第１送信部３１１がサーバ１にコンテンツデータを送信した時点、情報処理装置３Ａの要求部３１２がサーバ１に格納場所情報の送信の許可の要求を行った時点、情報処理装置３Ａの受信部３１３がサーバ１から格納場所情報を受信した時点、又は、情報処理装置３Ｂが情報処理装置３Ａから格納場所情報を受信した時点、である。情報処理装置３Ｂの受信部３２１は、情報処理装置３Ａから所定時点Ｔ２に関する情報を受信するようにしてもよい。
【００８５】
変形例２では、情報処理装置３Ｂの表示部３２２は、所定時点Ｔ２から所定時間が経過した後、格納場所情報を表示する。したがって、情報処理装置３Ｂのアクセス部３２３は、所定時点Ｔ２から所定時間が経過した後、コンテンツデータにアクセスする。これにより、サーバ１の決定部１１６が、格納場所情報の送信の許可の決定を行う前に、コンテンツデータに対するアクセスが行われることを抑制できる。
【００８６】
〈変形例３〉
実施例３について、図７ＡのＳ７１１からＳ７１３を以下のように変形してもよい。また、実施例４について、図７ＢのＳ７０９ＢからＳ７１１Ｂを以下のように変形してもよい。図７ＡのＳ７１１及び図７ＢのＳ７０９Ｂにおいて、情報処理装置３Ａの第２送信部３１４は、格納場所情報を情報処理装置３Ｂに送信する。この場合、情報処理装置３Ａの第２送信部３１４は、格納場所情報とともに所定データを情報処理装置３Ｂに送信してもよいし、格納場所情報が記述されたファイル又はメールを情報処理装置３Ｂに送信してもよい。図７ＡのＳ７１２及び図７ＢのＳ７１０Ｂにおいて、情報処理装置３Ｂの受信部３２１は、情報処理装置３Ａから格納場所情報を受信する。この場合、情報処理装置３Ｂの受信部３２１は、格納場所情報とともに所定データを情報処理装置３Ａから受信してもよいし、格納場所情報が記述されたファイル又はメールを情報処理装置３Ａから受信してもよい。
【００８７】
次に、図７ＡのＳ７１３及び図７ＢのＳ７１１Ｂにおいて、情報処理装置３Ｂのアクセス部３２３が、サーバ１にアクセスし、格納場所情報の送信の許可が決定されていることを確認した場合、情報処理装置３Ｂの表示部３２２は、格納場所情報を表示する。一方、図７ＡのＳ７１３及び図７ＢのＳ７１１Ｂにおいて、情報処理装置３Ｂのアクセス部３２３が、サーバ１にアクセスし、格納場所情報の送信の不許可が決定されていることを確認した場合、情報処理装置３Ｂの表示部３２２は、格納場所情報を表示しない。この場合、情報処理装置３Ｂのアクセス部３２３は、所定間隔でサーバ１にアクセスすることにより、格納場所情報の送信の許可又は不許可が決定されていることを確認する。情報処理装置３Ｂのアクセス部３２３がサーバ１にアクセスした時点で、格納場所情報の送信の許可又は不許可が決定されていない場合、情報処理装置３Ｂの表示部３２２は、格納場所情報の送信の許可又は不許可の決定が行われていない旨のメッセージを表示するようにしてもよい。
【００８８】
変形例３では、格納場所情報の送信の許可が決定されている場合、情報処理装置３Ｂの表示部３２２が、格納場所情報を表示する。したがって、格納場所情報の送信の許可が決定されている場合、情報処理装置３Ｂのアクセス部３２３は、コンテンツデータにアクセスする。これにより、サーバ１の決定部１１６が、格納場所情報の送信の許可の決定を行う前に、コンテンツデータに対するアクセスが行われることを抑止できる。
【００８９】
〈変形例４〉
実施例３について、図７ＡのＳ７１１を以下のように変形してもよい。また、実施例４について、図７ＢのＳ７０９Ｂを以下のように変形してもよい。図７ＡのＳ７１１及び図７ＢのＳ７０９Ｂにおいて、情報処理装置３Ａのアクセス部３１６が、サーバ１にアクセスし、格納場所情報の送信の許可が決定されていることを確認した場合、情報処理装置３
Ａの第２送信部３１４は、格納場所情報を情報処理装置３Ｂに送信する。この場合、情報処理装置３Ａの第２送信部３１４は、格納場所情報とともに所定データを情報処理装置３Ｂに送信してもよいし、格納場所情報が記述されたファイル又はメールを情報処理装置３Ｂに送信してもよい。一方、図７ＡのＳ７１１及び図７ＢのＳ７０９Ｂにおいて、情報処理装置３Ａのアクセス部３１６が、サーバ１にアクセスし、格納場所情報の送信の不許可が決定されていることを確認した場合、情報処理装置３Ａの第２送信部３１４は、格納場所情報を情報処理装置３Ｂに送信しない。この場合、情報処理装置３Ａのアクセス部３１６は、所定間隔でサーバ１にアクセスすることにより、格納場所情報の送信の許可又は不許可が決定されていることを確認する。
【００９０】
変形例４では、格納場所情報の送信の許可が決定されている場合、情報処理装置３Ａの第２送信部３１４は、格納場所情報を情報処理装置３Ｂに送信する。したがって、格納場所情報の送信の許可が決定されている場合、情報処理装置３Ｂの受信部３２１は、格納場所情報を受信し、情報処理装置３Ｂのアクセス部３２３は、コンテンツデータにアクセスする。これにより、サーバ１の決定部１１６が、格納場所情報の送信の許可の決定を行う前に、コンテンツデータに対するアクセスが行われることを抑止できる。
【００９１】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。コンピュータ等に、この記録媒体のプログラムを読み込ませて実行させることにより、その機能を提供させることができる。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【００９２】
以上、本発明を詳細に説明してきたが、前述の説明はあらゆる点において本発明の例示に過ぎず、その範囲を限定しようとするものではない。本発明の範囲を逸脱することなく種々の改良や変形を行うことができることは言うまでもない。また、当業者は、本発明の具体的な実施形態の記載から、本発明の記載および技術常識に基づいて等価な範囲を実施することができることが理解される。また、本明細書において使用される用語は、特に言及しない限り、当該分野で通常用いられる意味で用いられることが理解されるべきである。したがって、他に定義されない限り、本明細書中で使用されるすべての専門用語および技術用語は、本発明の属する分野の当業者によって一般的に理解されるのと同じ意味を有する。矛盾する場合、本明細書（定義を含めて）が優先する。
【符号の説明】
【００９３】
１    サーバ
２    ネットワーク
３、３Ａ、３Ｂ、３Ｃ    情報処理装置
１１１    受信部
１１２    制御部
１１３    格納部
１１４    作成部
１１５    受付部
１１６    決定部
１１７    送信部
３１１    第１送信部
３１２    要求部
３１３    受信部
３１４    第２送信部
３１５    検知部
３１５１    ビーコン送信部
３１５２    応答受信部
３１６    アクセス部
３２１    受信部
３２２    表示部
３２３    アクセス部
３２４    取得部
３２５    ビーコン受信部
３２６    応答部
【図１】
2013149081.tif 000003
【図２】
2013149081.tif 000004
【図３】
2013149081.tif 000005
【図４】
2013149081.tif 000006
【図５Ａ】
2013149081.tif 000007
【図５Ｂ】
2013149081.tif 000008
【図６Ａ】
2013149081.tif 000009
【図６Ｂ】
2013149081.tif 000010
【図７Ａ】
2013149081.tif 000011
【図７Ｂ】
2013149081.tif 000012